(57)【特許請求の範囲】
【請求項１】
冷蔵庫本体に形成される一つの貯蔵空間を前記冷蔵庫本体の両端を中心として回動する第１及び第２の扉が開放する冷蔵庫において、
前記貯蔵空間の天井に前記第１及び第２の扉とそれぞれ対応するように設けられるストッパーと、
前記貯蔵空間を開閉する前記第１及び第２の扉の先端の上面一側に、一端部を基準として先端が前記ストッパーに係合される方向に回動されるようにそれぞれ設けられる係止フックと、
前記第１及び第２の扉が貯蔵空間を閉鎖した状態で、前記ストッパーに係合した前記係止フックに前記ストッパーに密着する方向に弾性を付与する弾性部材とを含み、
前記第１及び第２の扉が開放されると、前記弾性部材と前記係止フックの連結状態が解除され、
前記扉が開放される過程で前記係止フックが前記ストッパーから分離される時、前記弾性部材は、前記係止フックを前方へと押し出す方向に前記係止フックに弾性力を付与することを特徴とする冷蔵庫用扉開放防止装置。
【請求項２】
前記ストッパーは、前記貯蔵空間の天井に取り付けられるストッパープレート上に一体に形成され、前記ストッパープレートには、前記弾性部材が取り付けられることを特徴とする請求項１に記載の冷蔵庫用扉開放防止装置。
【請求項３】
前記弾性部材の両端部は、前記ストッパーの対向する部分と所定の間隔を有するように、所定の曲率半径を有する曲面で形成されることを特徴とする請求項１に記載の冷蔵庫用扉開放防止装置。
【請求項４】
前記ストッパーには、
前記扉を開閉する動作により前記係止フックを案内し、両側のストッパーのそれらが互いに対向する案内面と、
前記扉の閉鎖状態で前記係止フックが係合されるように、前記弾性部材と対向する係合面を備えることを特徴とする請求項１に記載の冷蔵庫用扉開放防止装置。
【請求項５】
前記係止フックは、前記扉の先端に前記ストッパーに係合される方向に所定の範囲内で回動可能に設けられるが、前記係止フックには、その先端に前記案内面により案内され、前記扉の閉鎖状態で前記係合面に密着される係合突起が形成されることを特徴とする請求項１に記載の冷蔵庫用扉開放防止装置。
【請求項６】
前記弾性部材は、前記係合突起が前記係合面に密着するように弾性を付与する板ばねであることを特徴とする請求項５に記載の冷蔵庫用扉開放防止装置。
【請求項７】
前記板ばねは、その両端が所定の曲率半径を有する曲面で形成されることを特徴とする請求項６に記載の冷蔵庫用扉開放防止装置。
【発明の詳細な説明】
【技術分野】
【０００１】
本発明は、冷蔵庫に関し、より詳しくは、一つの貯蔵室を二つの扉で開閉する冷蔵庫において、隣接する扉の開閉動作により他の扉が勝手に開放されることを防止する冷蔵庫用扉開放防止装置に関する。
【背景技術】
【０００２】
図１及び図２には、従来の技術による冷蔵庫が示されている。図示のように、冷蔵庫本体１の内部には、上下に仕切られ、冷蔵室３と、冷凍室５とが備えられる。前記冷蔵室３と、冷凍室５とは、それぞれ冷蔵室扉７、８と、冷凍室扉９とによって選択的に開閉される。
【０００３】
前記冷蔵室扉７、８は、前記冷蔵庫本体１の両端にそれぞれヒンジで回転可能に設けられ、互いに対向する先端が前記冷蔵庫本体１の前方に回動可能である。参照符号７ａ及び８ａは、冷蔵室扉７、８を開閉するための扉ハンドルである。
そして、前記冷蔵室扉７、８には、前記冷蔵室３の縁部に該当する冷蔵庫本体１及び互いに対向する冷蔵室扉７、８の先端部を通して冷気が流出することを防止するために、ガスケットＧａ、Ｇｂ、Ｇｃ、Ｇｄが設けられる。
【０００４】
前記ガスケットＧａ、Ｇｂ、Ｇｃ、Ｇｄは、前記冷蔵室扉７、８の互いに対向する先端部に該当する側面に設けられる側面ガスケットＧａ、Ｇｃと、前記側面ガスケットＧａ、Ｇｃの上端部から延び、前記冷蔵室扉７、８の背面縁部に設けられる背面ガスケットＧｂ、Ｇｄとから構成される。前記背面ガスケットＧｂ、Ｇｄは、前記冷蔵庫本体１の前面に密着するように前記冷蔵室扉７、８の背面縁部に設けられる。
参照符号９ａは、扉ハンドルであり、参照符号１１は、貯蔵物の案着される棚であり、参照符号１３は、収納ボックスである。
【０００５】
しかし、このような構成からなる従来の技術による冷蔵庫には、次のような問題点があった。
前記冷蔵室３の一部のみを開放するためには、前記冷蔵室扉７、８の何れか一つのみを開閉しなければならない。しかし、前記冷蔵室扉７、８が冷蔵室３を遮蔽した状態では、前記側面ガスケットＧａ、Ｇｃが互いに密着しており、特に、前記側面ガスケットＧａ、Ｇｃは、マグネットの磁力によって互いに密着している。
【０００６】
従って、前記冷蔵室扉７、８が両方とも閉じている状態で、両方の何れか一方の扉を開けると、磁力によって密着している側面ガスケットＧａ、Ｇｃにより他方の扉も共に開放されるという問題点があった。
【０００７】
また、冷蔵室扉７、８の何れか一方を開放してから閉鎖するときには、扉の閉鎖に伴って冷蔵室３の内部に外部空気が流れ込み、閉じていた他の扉が開放されることもある。
このようになると、使用者が冷蔵室扉７、８の開閉状態に常に注意を払わなければならず、不注意により、冷蔵室扉７、８が開放された状態になると、冷気が漏洩されるだけでなく、冷蔵室３に貯蔵される貯蔵物の新鮮度が低下するという問題があった。
【発明の開示】
【発明が解決しようとする課題】
【０００８】
本発明は、上記問題点に鑑みなされたものであり、一つの貯蔵空間を複数の扉で開閉する冷蔵庫において、一方の扉の開閉の際に他方の扉が開閉されることを防止する冷蔵庫用扉開放防止装置を提供することを目的とする。
【課題を解決するための手段】
【０００９】
上記の目的を達成するため、本発明による冷蔵庫用扉開放防止装置は、冷蔵庫本体に形成される貯蔵空間を少なくとも二つ以上の扉で開放する冷蔵庫において、前記貯蔵空間の天井と底面との何れか一側に設けられるストッパーと、前記貯蔵空間を開閉する前記扉の一側に設けられ、前記扉の閉鎖状態で前記ストッパーに係合される係止フックと、前記ストッパーに係合された前記係止フックに前記ストッパーに密着される方向に弾性を付与する弾性部材とを備えることを特徴とする。
【００１０】
また、 前記ストッパーには、前記扉を開閉する動作により前記係止フックを案内する案内面と、前記扉の閉鎖状態で前記係止フックが係合されるように、前記弾性部材と対向する係合面が設けられることを特徴とする。
【００１１】
また、前記ストッパーは、前記貯蔵空間の内面や貯蔵空間の内面に取り付けられるストッパープレートの一側に一体に形成されることを特徴とする。
【００１２】
また、前記係止フックには、前記案内面により案内され、前記扉の閉鎖状態で前記係合面に密着するように先端に形成されている係合突起と、前記扉の閉鎖状態で前記案内面と前記係合面との間の部分が案着される案着面とを備えることを特徴とする。
【００１３】
また、前記係止フックは、前記扉の先端に所定の範囲で回動可能に設けられるが、前記係止フックは、弾性部材により支持され、前記ストッパーに係合される方向に回転しようとする傾向を有することを特徴とする。
【００１４】
また、前記弾性部材は、前記係合突起が前記係合面に密着するように弾性を付与する板ばねであり、前記貯蔵空間の内面や前記ベースプレートの一側に固定されることを特徴とする。
【００１５】
また、前記板ばねは、その両端が所定の曲率半径を有する曲面で形成され、前記ストッパーの対向する係合面との間に所定の間隔を有するようになることを特徴とする。
【００１６】
また、本発明による冷蔵庫用扉開放防止装置は、冷蔵庫本体に形成される一つの貯蔵空間を前記冷蔵庫本体の両端を中心として回動する第１及び第２の扉が開放する冷蔵庫において、前記貯蔵空間の天井に前記第１及び第２の扉とそれぞれ対応するように設けられるストッパーと、前記貯蔵空間を開閉する前記第１及び第２の扉の先端の上面一側に、一端部を基準として先端が前記ストッパーに係合される方向に回動されるようにそれぞれ設けられる係止フックと、前記第１及び第２の扉が貯蔵空間を閉鎖した状態で、前記ストッパーに係合した前記係止フックに前記ストッパーに密着する方向に弾性を付与する弾性部材とを備えることを特徴とする。
【００１７】
また、前記ストッパーは、前記貯蔵空間の天井に取り付けられるストッパープレート上に一体に形成され、前記ストッパープレートには、前記弾性部材が取り付けられることを特徴とする。
【００１８】
また、前記弾性部材の両端部は、前記ストッパーの対向する部分と所定の間隔を有するように、所定の曲率半径を有する曲面で形成されることを特徴とする。
【００１９】
また、前記ストッパーには、前記扉を開閉する動作により前記係止フックを案内し、両側のストッパーのそれらが互いに対向する案内面と、前記扉の閉鎖状態で前記係止フックが係合されるように、前記弾性部材と対向する係合面を備えることを特徴とする。
【００２０】
また、前記係止フックは、前記扉の先端に前記ストッパーに係合される方向に所定の範囲内で回動可能に設けられるが、前記係止フックには、その先端に前記案内面により案内され、前記扉の閉鎖状態で前記係合面に密着される係合突起が形成されることを特徴とする。
【００２１】
このような構成からなる本発明によれば、一つの貯蔵空間を複数の扉で開閉する冷蔵庫において、扉の開閉が使用者の所望する通り正確に行われ、冷気の漏洩を防止し、保存される貯蔵物の新鮮度を相対的に長く維持することができ、扉が所定の程度以上に開放されると、弾性部材の弾性力により開放がより円滑に行われるという利点がある。
【発明の効果】
【００２２】
このような本発明による冷蔵庫用扉開放防止装置によれば、次のような効果が期待できる。
すなわち、一つの貯蔵空間を複数の扉により開閉する冷蔵庫において、何れか一方の扉を開閉する動作が隣接する他方の扉に影響されなくなる。
従って、扉の開閉状態が使用者による操作状態のままになっており、貯蔵空間の内部の冷気が漏洩されることが防止され、冷蔵庫の電源消費が相対的に減少し、貯蔵空間の内部に貯蔵される貯蔵物の新鮮度を相対的に長く保つことができる。
また、扉を開放するとき、所定の程度以上開放されると、板ばねの復元力により係止フックが扉の開放方向に押し付けられる。よって、扉の開放動作がより確実に行われる効果が期待できる。
【発明を実施するための最良の形態】
【００２３】
以下、本発明の好ましい実施の形態を、添付図面に基づいて詳しく説明する。
図３は、本発明による冷蔵庫用扉開放防止装置の好ましい実施例が採用された冷蔵庫の構成を示す正面図であり、図４は、図３に示す実施例の横断面図である。
【００２４】
図示のように、冷蔵庫本体３１には、その前面に開口するように、貯蔵空間が形成されるが、前記貯蔵空間は、上下に仕切られ、それぞれ冷蔵室３３と、冷凍室３３′とを形成する。前記冷蔵室３３と、冷凍室３３′とには、その上面に食品の案着される複数の棚３４が設けられる。また、前記冷蔵室３３と、冷凍室３３′とには、内部に食品の収納される収納ボックス３６が冷蔵庫の前方に引き出し可能に設けられる。
【００２５】
前記冷蔵室３３を選択的に開閉するために、第１の冷蔵室扉３７(以下、「第１の扉」と称する)と、第２の冷蔵室扉３８(以下、「第２の扉」と称する)とが備えられる。前記第１の扉３７と、第２の扉３８とは、図３においては、左側端と右側端とを中心として回転して冷蔵室３３を開閉する。
【００２６】
そして、前記第１の扉３７及び第２の扉３８の先端部に該当する側面には、上下に長く側面ガスケットＧｏ、Ｇｑがそれぞれ設けられる。前記側面ガスケットＧｏ、Ｇｑは、第１の扉３７と第２の扉３８との間の冷気の漏洩を防止する。このため、前記側面ガスケットＧｏ、Ｇｑは、内部にマグネット(図示せず)を備えて所定の磁力を有する。よって、前記第１の扉３７と、第２の扉３８とが前記冷蔵室３３を遮蔽した状態で、磁力によって互いに密着される。
【００２７】
前記第１の扉３７及び第２の扉３８の背面縁部には、背面ガスケットＧｐ、Ｇｒがそれぞれ設けられる。前記背面ガスケットＧｐ、Ｇｒは、前記側面ガスケットＧｏ、Ｇｑと同様に所定の磁力を有するものであり、前記第１の及び第２の扉３７、３８が前記冷蔵庫本体３１の前面と対応する背面縁部に沿って設けられる。前記背面ガスケットＧｐ、Ｇｒは、前記側面ガスケットＧｏ、Ｇｑの上下端にそれぞれ連結される。前記背面ガスケットＧｐ、Ｇｒは、前記第１の扉３７及び第２の扉３８が前記冷蔵室３３を遮蔽した状態で、磁力によりそれぞれ前記冷蔵庫本体３１の前面に密着される。
【００２８】
前記冷凍室３３′を選択的に開閉するために、冷凍室扉(図示せず)が備えられる。前記冷凍室扉は、引き出し式に冷蔵庫の前方に引き出し可能に設けられる。本実施例では、冷蔵室３３が二つの冷蔵室扉３７、３８によって開閉されているが、必ずこれに限定されるものではなく、また冷凍室３３′が二つの扉によって開閉されるように構成してもよい。
【００２９】
一方、前記冷蔵室３３の天井の一側には、ストッパープレート４０が設けられる。前記ストッパープレート４０は、前記第１の扉３７と第２の扉３８とが前記冷蔵室３３を遮蔽した状態で、第１及び第２の扉３７、３８の先端上部の直後方に該当する前記冷蔵室３３の天井先端部に設けられる。
【００３０】
図４に示すように、前記ストッパープレート４０には、少なくとも一対の取り付け穴４２、４２′が穿孔される。前記取り付け穴４２、４２′は、前記ストッパープレート４０を前記冷蔵室３３の天井に取り付けるためのもので、前記取り付け穴４２、４２′を貫通したスクリュー４３、４３′が前記冷蔵室３３の天井の一側に取り付けられる。
【００３１】
前記ストッパープレート４０の両側には、ストッパー４５、４５′がそれぞれ設けられる。前記ストッパー４５、４５′は、前記ストッパープレート４０と一体に成形されるもので、ストッパープレート４０の両側から下方に突出している。前記ストッパー４５、４５′には、後述する係止フック５１、５１′の移動を案内する案内面４７、４７′と、係止フック５１、５１′の係合突起５３、５３′が密着する係合面４９、４９′とがそれぞれ設けられる。
【００３２】
前記案内面４７、４７′は、前記第１の扉３７と第２の扉３８との回動による係止フック５１、５１′の係合突起５３、５３′の移動軌跡に対応するように形成される。前記係合面４９、４９′は、前記案内面４７、４７′から延びてほぼ前記冷蔵室３３の内面と対向するように形成される。前記ストッパー４５、４５′は、前記案内面４７、４７′がほぼ互いに対向するように前記ストッパープレート４０の両側に設けられる。
【００３３】
一方、図５に示すように、前記第１の扉３７と、第２の扉３８とには、それぞれ係止フック５１、５１′が設けられる。前記係止フック５１、５１′は、前記第１の扉３７または第２の扉３８が前記冷蔵室３３を遮蔽した状態で、前記ストッパー４５、４５′に係合されるものであり、前記第１の扉３７及び第２の扉３８の先端上面の一側に回動可能に設けられる。
【００３４】
前記係止フック５１、５１′の先端には、係合突起５３、５３′がそれぞれ設けられる。前記係合突起５３、５３′は、前記第１の扉３７または第２の扉３８を開閉する過程で前記案内面４７、４７′に沿って案内され、前記第１の扉３７または第２の扉３８が閉じた状態、すなわち、前記冷蔵室３３が遮蔽した状態では、その一側が前記係合面４９、４９′に係合される。
【００３５】
前記係合突起５３、５３′に隣接する前記係止フック５１、５１′の一側には、案着面５５、５５′が設けられる。前記案着面５５、５５′は、前記案内面４７、４７′に対応する形状に形成される。前記案着面５５、５５′は、前記係合突起５３、５３′が前記係合面４９、４９′に密着した状態で、前記係合面４９、４９′と案内面４７、４７′とが連結される部分に案着される。
【００３６】
前記係合突起５３、５３′の反対側に該当する前記係止フック５１、５１′の後端には、上下に貫通するように貫通ホール貫通孔５７、５７′がそれぞれ設けられる。前記貫通孔５７、５７′を通過したスクリュー５８が前記第１の扉３７または第２の扉３８の一側に固定され、前記係止フック５１、５１′が前記貫通孔５７、５７′を中心として回動することになる。
【００３７】
前記係止フック５１、５１′は、前記第１の扉３７及び第２の扉３８の背面に対してほぼ直交する位置を基準として前記第１の扉３７及び第２の扉３８の先端に向いて所定の角度だけ傾斜する位置まで回動できる。ここで、前記係止フック５１、５１′が前記第１の扉３７及び第２の扉３８の背面にほぼ直交する位置は、前記係止フック５１、５１′が前記ストッパー４５、４５′に係合した状態での前記係止フック５１、５１′の位置と同様である。そして、前記係止フック５１、５１′が前記第１の扉３７及び第２の扉３８の先端に対して最大に傾斜する位置は、前記第１の扉３７及び第２の扉３８が開閉する過程で前記係合突起５３、５３′が干渉されず、前記案内面４７、４７′により案内され得るように決定される。
【００３８】
また、図示していないが、前記係止フック５１、５１′は、弾性部材により前記ストッパー４５、４５′に係合される方向に回転するように支持される。すなわち、前記弾性部材は、前記係止フック５１、５１′が前記ストッパー４５、４５′に係合される方向に前記スクリュー５８を中心として回転する傾向を有するようにする。
【００３９】
前記ストッパー４５、４５′の間から外れた前記ストッパープレート４０の一側には、板ばね６１が設けられる。前記板ばね６１は、前記ストッパー４５、４５′に前記係止フック５１、５１′が係合した状態で、勝手に外れることを防止するためのものである。前記板ばね６１は、前記ストッパープレート４０の表面にほぼ直立するように設けられる。
【００４０】
前記板ばね６１の両端部は、それぞれ冷蔵庫の後方に向くように所定の曲率半径を有するように設計される。よって、前記板ばね６１の両端部は、前記係合面４９との間の間隔が全体として殆ど一定に維持されるようになる。前記板ばね６１の両端部は、それぞれ前記ストッパー４５、４５′と互いに対向するようになる。
【００４１】
前記板ばね６１は、前記係止フック５１、５１′に所定の弾性を付与する役割を担う。このために、前記ストッパー４５、４５′の係合面４９、４９′と前記板ばね６１の両端部との間の直線距離は、少なくとも前記係合面４９、４９′と板ばね６１に密着する前記係止フック５１、５１′の係合突起５３、５３′の両側との間の幅よりも相対的に長く形成される。よって、前記係止フック５１、５１′の先端には、前記板ばね６１により前記係合突起５３、５３′が前記係合面４９、４９′に密着される方向への弾性力が付勢される。
【００４２】
前記板ばね６１の一側には、取り付け片６３が設けられる。前記取り付け片６３は、前記板ばね６１の上端に設けられ、前記板ばね６１に直交するように折り曲げられる。前記取り付け片６３には、少なくとも一つの取り付け穴６５が穿孔され、前記取り付け穴６５を貫通したスクリュー６３′が前記ストッパープレート４０または冷蔵室３３の天井の一側に取り付けられることにより固定される。
【００４３】
以下、前記のような構成からなる本発明による冷蔵庫用扉開放防止装置の作用を詳しく説明する。
本発明において、第１及び第２の扉３７、３８が開閉される過程を、図６（ａ）乃至図６（ｃ）に示しているが、図を参照して、第１及び第２の扉３７、３８の開閉過程を説明する。
【００４４】
先ず、図６（ａ）に示すように、冷蔵庫の冷蔵室３３が第１の扉３７と第２の扉３８とにより遮蔽された状態では、前記第１の扉３７と第２の扉３８とに設けられる係止フック５１、５１′の係合突起５３、５３′がストッパー４５、４５′の係合面４９、４９′に係合されて密着される。また、前記ストッパー４５、４５′の案内面４７、４７′と係合面４９、４９′との間に該当する位置に前記係止フック５１、５１′の案着面５５、５５′が案着される。
【００４５】
このとき、前記第１の扉３７と第２の扉３８との側面ガスケットＧｏ、Ｇｑは、互いに密着している状態であり、前記第１の扉３７と第２の扉３８との背面ガスケットＧｐ、Ｇｒは、それぞれ冷蔵庫本体３１の前面に密着している状態となる。よって、前記冷蔵室３３が前記第１及び第２の扉３７、３８により遮蔽される。
【００４６】
前記係止フック５１、５１′は、板ばね６１によりそれぞれ前記係合突起５３、５３′が前記係合面４９、４９′に密着される方向への弾性を付与される。よって、前記係止フック５１、５１′が前記ストッパー４５、４５′に係合した状態で勝手に移動できなくなり、結局、前記第１の扉３７と第２の扉３８とが勝手に開放されなくなる。
【００４７】
このような状態で、前記冷蔵室３３の左側(図３を基準とする)の一部を開放するためには、第１の扉３７を開放すると、前記第１の扉３７は、左側端を中心として先端が冷蔵庫の前方に回動し、前記第１の扉３７の係止フック５１も冷蔵庫の前方に移動する。
【００４８】
ところで、前記係止フック５１は、前記板ばね６１により弾性を付与されている状態である。従って、前記第１の扉３７を開放するためには、前記係止フック５１に作用する前記板ばね６１の弾性力以上の力で前記第１の扉３７を冷蔵庫の前方に引っ張らなければならない。
【００４９】
そして、このように前記係止フック５１が前記板ばね６１の弾性力を乗り越えながら開放されると、図６（ｂ）に示すように、前記係合突起５３が前記係合面４９に密着している状態で移動する。また、前記案内面４７も案着面５５に案着された状態から分離され、前記案着面５５が前記案内面４７に対して離れる方向に移動する。
【００５０】
また、前記第１の扉３７が回動し、前記第１の扉３７の側面ガスケットＧｏと背面ガスケットＧｐとが前記第２の扉３８の側面ガスケットＧｑと前記本体３１との前面からそれぞれ離れる。ところで、前記側面ガスケットＧｏ、Ｇｑは、磁力により互いに密着しているため、このように互いに離れる過程で前記第１の扉３７の側面ガスケットＧｏにより前記第２の扉３８の側面ガスケットＧｑが引っ張られることもある。つまり、閉鎖状態の前記第２の扉３８が前記第１の扉３７により開放できるようになる。
【００５１】
ところで、前記第２の扉３８の係止フック５１′は、前記板ばね６１から付勢された弾性力により前記ストッパー４５′に係合した状態を維持している。よって、前記第１の扉３７の開放動作により前記第２の扉３８が影響されず、前記第２の扉３８は開放されなくなる。
【００５２】
一方、前記係止フック５１が移動し、前記係合面４９と係合突起５３とが所定の距離以上離れても、前記係止フック５１には、前記板ばね６１の弾性力が作用し続ける。ところで、前記板ばね６１の弾性力は、前記係合突起５３が前記係合面４９に密着するようにする方向に作用する。従って、前記係合突起５３が前記係合面４９から分離されると、むしろ、前記板ばね６１の復元力により前記係止フック５１が冷蔵庫の前方に押される。よって、前記第１の扉３７がより円滑に開放できる。
【００５３】
また、図６（ｃ）に示すように、前記第１の扉３７の回動によりストッパー４５から分離され、冷蔵庫の前方に移動する前記係止フック５１は、前記板ばね６１から離れる。このとき、前記係合突起５３は、前記案内面４７に沿って冷蔵庫の前方に案内される。そして、前記第１の扉３７の開放動作が継続されると、前記係止フック５１が前記ストッパー４５から完全に分離され、前記第１の扉３７に該当する前記冷蔵室３３の一部が開放される。
【００５４】
このように前記冷蔵室３３が開放された状態で、前記第１の扉３７を閉じて冷蔵室３３を遮蔽する過程は、上述の冷蔵室３３を開放する方法の逆順で行われる。すなわち、前記第１の扉３７を図３で図中の左側端を中心として冷蔵庫本体３１の前面に向いて押し付けると、前記係合突起５３が前記案内面４７により案内されながら、前記板ばね６１を冷蔵庫の後方に押し付く。
【００５５】
そして、前記第１の扉３７を回動する力が前記板ばね６１の弾性力よりも大きくなると、前記係合突起５３は、前記板ばね６１の弾性力を乗り越えながら移動する。よって、前記係合突起５３は、前記係合面４９に密着され、前記案内面４７は、前記案着面５５に案着され、前記係止フック５１が前記ストッパー４５に係合される。
【００５６】
このとき、前記第２の扉３８の係止フック５１′は、前記板ばね６１の弾性力により前記ストッパー４５′に係合した状態を維持している。よって、前記第１の扉３７が閉鎖され、前記冷蔵室３３の内部に流入する外部空気により、前記第２の扉３８が開放される現象も防止される。
【００５７】
このように前記第１の扉３７が閉鎖されると、前記第１の扉３７の側面ガスケットＧｏは、前記第２の扉３８の側面ガスケットＧｑに密着され、前記第１の扉３７の背面ガスケットＧｐは、前記本体３１の前面一側に密着される。よって、前記冷蔵室３３が再び外部から密閉される。
【００５８】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
例えば、図示の実施例では、二つの扉３７、３８により冷蔵室３３が開閉されることを例にして説明しているが、二つ以上の扉により貯蔵空間が開閉される場合にも適用することができる。
【００５９】
また、本発明では、ストッパー４５、４５′を備えたストッパープレート４０が冷蔵室３３の天井に設けられ、冷蔵室扉３７、３８の先端の上面側に係止フック５１が設けられているが、冷蔵室３３の底と冷蔵室扉３７、３８の下端に該当する位置に前記構成を備えてもよい。
さらに、本実施例では、前記ストッパー４５、４５′がストッパープレート４０に一体に形成されているが、冷蔵室３３の内面を構成するインナーケースに一体に形成してもよい。
【図面の簡単な説明】
【００６０】
【図１】従来の技術による冷蔵庫の外観を示す正面図である。
【図２】図１に示す冷蔵庫の内部構成を示す正面図である。
【図３】本発明による扉開放防止装置の好ましい実施例が適用された冷蔵庫における扉の開放状態を示す正面図である。
【図４】図３に示す実施例の横断面図である。
【図５】図３に示す実施例を構成する係止フックが扉に設けられた状態を示す平面図である。
【図６ａ】図６ａは、図３に示す実施例による扉の開閉過程を示す動作状態図である。
【図６ｂ】図６ｂは、図３に示す実施例による扉の開閉過程を示す動作状態図である。
【図６ｃ】図６ｃは、図３に示す実施例による扉の開閉過程を示す動作状態図である。
【符号の説明】
【００６１】
３１    冷蔵庫本体
３３    冷蔵室
３３′    冷凍室
３４    棚
３６    収納ボックス
３７    第１の扉
３８    第２の扉
４０    ストッパープレート
４２、４２′    取り付け穴
４５、４５′    ストッパー
４７、４７′    案内面
４９、４９′    係合面
５１、５１′    係止フック
５３、５３′    係合突起
５５、５５′    案着面
５７、５７′    貫通孔
６１    板ばね
６３    取り付けフランジ
６５    取り付け穴
Ｇｏ、Ｇｐ、Ｇｑ、Ｇｒ    ガスケット
【図１】
0004768325.tif 000002
【図２】
0004768325.tif 000003
【図３】
0004768325.tif 000004
【図４】
0004768325.tif 000005
【図５】
0004768325.tif 000006
【図６ａ】
0004768325.tif 000007
【図６ｂ】
0004768325.tif 000008
【図６ｃ】
0004768325.tif 000009